(57)【要約】【課題】低負荷時にも対象区域への供給風量を確保しながら、対象区域における空調を好適に実施し得る空調システムを提供する。【解決手段】変風量単一ダクト方式の空調システムであって、空調機１から送り出される空調空気３を対象区域Ａへ導く流路（給気ダクト２、混気ボックス２２、吹出口ユニット２１）の途中に設けられ、下流側に流れる空調空気３の量を調整する変風量装置（変風量ユニット）８と、流路における変風量装置８の下流側の位置に設けられるファン１９と、流路における変風量装置８の下流側且つファン１９の上流側の位置で流路における還気チャンバＣ内にあたる位置に設けられ、周囲の還気チャンバＣ内の還気１３を取り込む取込口２０とを備える。【選択図】図２
2020008211.tif 000002
【特許請求の範囲】
【請求項１】
対象区域に隣接する天井裏の空間を還気チャンバとして設定し、対象区域に面する天井には、対象区域内の空気を還気として吸い込む吸込口を設けると共に、前記還気チャンバには、該還気チャンバ内の空気を空調機へ戻す還気ダクトを備える変風量単一ダクト方式の空調システムであって、
空調機から送り出される空調空気を対象区域へ導く流路の途中に設けられ、下流側に流れる空調空気の量を調整する変風量装置と、
前記流路における前記変風量装置の下流側の位置に設けられるファンと、
前記流路における前記変風量装置の下流側且つ前記ファンの上流側の位置で前記流路における前記還気チャンバ内にあたる位置に設けられ、周囲の還気チャンバ内の還気を取り込む取込口と
を備えたことを特徴とする空調システム。
【請求項２】
前記変風量装置から下流側への空調空気の供給風量は、前記変風量装置の下流側に備えられた前記ファンにおける風量の合計を超えないように設定されていること
を特徴とする請求項１に記載の空調システム。
【請求項３】
前記流路の末端部に、
対象区域に面する吹出部と、
該吹出部の上流側に設けられた前記ファンと、
該ファンにより周囲から空気を導入し、前記吹出部から対象区域へ送り出す空間を形成する筐体と
を備えた吹出口ユニットを備えていること
を特徴とする請求項１または２に記載の空調システム。
【請求項４】
前記取込口を備えると共に、前記流路を構成するダクトを接続され、
前記取込口から周囲の空気を取り込むと共に、前記ダクトから空調空気を供給される空間を前記ファンの上流側に形成する混気ボックスを備えていること
を特徴とする請求項３に記載の空調システム。
【請求項５】
前記流路における前記ファンの上流側の位置に、前記取込口を備え、該取込口から周囲の空気を取り込む空間を形成する混気ボックスを設置すること
を特徴とする請求項４に記載の空調システム。
【請求項６】
前記混気ボックスは、前記吹出口ユニットを取り囲むように設置されていること
を特徴とする請求項５に記載の空調システム。
【請求項７】
対象区域の冷房を行うことを特徴とする請求項１〜６のいずれか一項に記載の空調システム。
【発明の詳細な説明】
【技術分野】
【０００１】
本発明は、空調システムに関するものである。
【背景技術】
【０００２】
一般に、業務や商業を用途とするオフィスビル等の建物では、保健空調として対象の空間の温度（室温）や湿度を快適に保つための空調システムが設置されるが、こうした空調システムの方式として、変風量単一ダクト方式が採用されることが多い。
【０００３】
変風量単一ダクト方式は、空調機から供給される空調空気の給気温度を一定に設定し（尚、後述するロードリセットが働く場合は除く）、室内側の熱負荷変動には給気風量を可変にして対応する方式である。室内における設定温度や熱負荷に応じ、給気風量をゾーン別に制御することで、ゾーン毎の熱負荷変動に対応するようにしている。基本的には風量のみを変化させることで比例的に熱量処理を制御できるので、ゾーン毎に異なる熱処理が必要であっても、簡単な装置構成で緻密に対応できるという点で優れている。このような変風量単一ダクト方式の空調システムは、定風量単一ダクト方式と比較して室温追従性能が高く、また、対象ゾーンの熱負荷に応じて送風量が絞られるため、空調空気の搬送に係るエネルギーの面でも有利である。また、この変風量単一ダクト方式では中央空調機の給気温度を一定に設定できるので、中央空調機が外気も処理したり、還気に大きな室内潜熱負荷が乗ってきたりしても、中央空調機の冷却コイル列数が予め対応していれば除湿してほぼ露点温度である給気温度にすることが可能となり、湿度も制御が比較的易しい。
【０００４】
図８、図９は従来における一般的な変風量単一ダクト方式の空調システムの一例を示しており、オフィスビルの部屋等である対象区域Ａへ、対象区域Ａ外の空調機１から給気ダクト２を通して空調空気３が導かれるようになっている。空調機１は、還気を吸い込んで空調空気３として送り出す空調機内蔵ファン１ｂと、インバータなど空調機内蔵ファン１ｂの回転数を変えて送風量を変化させる空調機ファン風量可変機構１ｃと、空調機１に内蔵され、熱媒である水と間接的に還気と熱交換し空調空気３として温調する冷水コイルまたは温水コイルまたは冷温水コイルであるコイル１ｄと、空調機１の還気吸込口直後にあるフィルタ１ｅとを備えている。給気ダクト２は、空調機１から延びるメインダクト４と、該メインダクト４から対象区域Ａに向かって分岐する分岐ダクト５と、該分岐ダクト５から対象区域Ａに面して設置された吹出口６へ分岐する末端ダクト７とを備えて構成されている。
【０００５】
分岐ダクト５における末端ダクト７への分岐点より上流側の位置には変風量装置８が設置されている。変風量装置８は、ＶＡＶ（Variable Air Volume）等と称され、内部を通過する空気の風量を調節するダンパと、風量を計測する風速センサを備えたダンパユニット（変風量ユニット）である。この変風量ユニット８により、メインダクト４から分岐ダクト５より下流側へ流れる空調空気３の量を調整できるようになっている。こうして、メインダクト４を流通する空調空気３は、分岐ダクト５の変風量ユニット８にて風量を調整されたうえで、末端ダクト７の終端にあたる吹出口６に供給される。
【０００６】
風量制御の観点からは、対象区域Ａに設置された吹出口６を、分岐ダクト５ないし変風量ユニット８毎に区分することができる。図８、図９に示す例では、空調機１の受け持つ対象区域Ａ全体に計１８の吹出口６を設置しており、これらの吹出口６のうち、図中左側の６個における空調空気３の風量を分岐ダクト５ａに設置された変風量ユニット８ａが、中央の６個における風量を分岐ダクト５ｂに設置された変風量ユニット８ｂが、右側の６個における風量を分岐ダクト５ｃに設置された変風量ユニット８ｃが、それぞれ制御するようになっている。
【０００７】
すなわち、対象区域Ａのうち、左側の６個の吹出口６が設置された領域を制御領域Ａ１、中央の６個の設置された領域を制御領域Ａ２、右側の６個の設置された領域を制御領域Ａ３と称するとすれば、制御領域Ａ１が分岐ダクト５ａの受け持ちゾーン、制御領域Ａ２が分岐ダクト５ｂの受け持ちゾーン、制御領域Ａ３が分岐ダクト５ｃの受け持ちゾーンである。そして、変風量ユニット８ａが制御領域Ａ１の風量制御を、変風量ユニット８ｂが制御領域Ａ２の風量制御を、変風量ユニット８ｃが制御領域Ａ３の風量制御を、それぞれ担当している。
【０００８】
図９に示す如く、対象区域Ａに隣接する空間（ここでは天井裏）は還気チャンバＣとして設定されている。還気チャンバＣの所定の箇所には還気口９が設けられており、天井１０に設置された吹出口６から供給された空調空気３は、天井１０における吹出口６とは別の位置に開口した吸込口１１を通って還気チャンバＣに抜ける。そして空調機１の空調機内蔵ファン１ｂの吸込力により還気チャンバＣ内が陰圧になっていることから、還気チャンバＣ内の対象区域Ａから吸った空気は還気口９に集められ、還気口９から還気ダクト１２を通って還気１３として空調機１へ戻されるようになっている。
【０００９】
制御領域Ａ１〜Ａ３に対応する適宜位置（ここでは、平面視で各制御領域Ａ１，Ａ２，Ａ３の中央部に位置する吸込口１１）にはそれぞれ域内温度センサ１４，１５，１６が備えられており、各々の位置で制御領域Ａ１，Ａ２，Ａ３それぞれの熱負荷を処理した後の空気温度（還気１３の温度）を計測するようになっている。各域内温度センサ１４，１５，１６の計測値は、温度信号１４ａ，１５ａ，１６ａとして制御装置１７に入力される。
【００１０】
制御装置１７は、計測した温度信号１４ａ，１５ａ，１６ａと、各制御領域で設定されているＡ１、Ａ２、Ａ３領域の設定温度値との偏差に基づいて設定風量比率を演算し、該設定風量比率を各変風量ユニット８ａ，８ｂ，８ｃに対し制御信号８ｄとして入力することで、各変風量ユニット８ａ，８ｂ，８ｃの受け持ちゾーン（制御領域Ａ１〜Ａ３）の温度を調整する（尚、ここでは図示の都合上、各変風量ユニット８ａ，８ｂ，８ｃへの制御信号８ｄをまとめて表示しているが、実際には各変風量ユニット８ａ，８ｂ，８ｃへは互いに異なる信号レベルにてそれぞれ別々に制御信号８ｄが出力される）。風量の調整にあたっては、各受け持ちゾーンにおける設定温度と計測温度との偏差に基づいて制御装置１７にて各変風量ユニット８ａ，８ｂ，８ｃにおける設定風量比率が算出され、該設定風量比率が各変風量ユニット８ａ，８ｂ，８ｃに対し入力される。
【００１１】
各変風量ユニット８ａ，８ｂ，８ｃへ制御信号８ｄを出力する回路（温度調整回路）は、制御装置１７に各変風量ユニット８ａ，８ｂ，８ｃ毎に設けられており、それぞれが各変風量ユニット８ａ，８ｂ，８ｃを個別に制御する。こうして、各変風量ユニット８ａ，８ｂ，８ｃは、各分岐ダクト５ａ，５ｂ，５ｃの受け持ちゾーンに一対一で対応し、各分岐ダクト５の受け持ちゾーン（制御領域Ａ１，Ａ２，Ａ３のそれぞれ）毎に、変動する熱負荷が処理される。具体的には、制御領域Ａ１〜Ａ３のいずれも熱負荷が小さくなった場合、各変風量ユニット８ａ，８ｂ，８ｃの設定風量比率が小さくなることとなり、またメインダクト４を流れる空調機内蔵ファン１ｂが搬送する空調空気３自体が少なくて済むこととなり、その制御信号に基づいて空調機内蔵ファン１ｂの送風量を絞るように空調機ファン風量可変機構１ｃを制御するようになる。
【００１２】
制御装置１７は、このように各変風量ユニット８の風量を制御して温度の調整を行うほか、ロードリセットと呼ばれる制御を行う。
【００１３】
ロードリセット制御について、冷房を行う場合を例に説明する。冷房の場合、通常の場合と同じく、変風量ユニット８は、制御領域Ａ１〜Ａ３のいずれかの室内温度である当該制御領域の還気１３の温度が低いほど変風量ユニット８のダンパ開度を小さくして供給風量を少なくし、制御領域Ａ１〜Ａ３のいずれかの室内温度である当該制御領域の還気１３の温度が高いほど変風量ユニット８のダンパ開度を大きくして供給風量を大きくする、といった形で実行される。
【００１４】
しかしながら、対象区域Ａ内における制御領域Ａ１〜Ａ３の間に熱負荷の偏り等がある場合には、熱負荷のない制御領域では、前記温度調整回路において変風量ユニット８のダンパ開度を最小に絞るような制御を行っているにもかかわらず、当該制御領域の還気１３の温度が過剰に冷える、つまり同じ制御領域の室内も過剰に冷える場合がある。一方、変風量ユニット８を作動させるにあたっては、当該制御領域の必要最低還気回数など換気やその他の目的のため、常時必要最小限の風量は必要である。つまり、仮にある一部の制御領域の還気１３の温度が設定温度に対して過剰に冷たくなっていても、変風量ユニット８のダンパ開度をある程度以上に保っておかなくてはならない。
【００１５】
そこで、制御装置１７では、一部の制御領域の還気１３の温度が設定温度に対して過剰に冷却されつづけている場合（その状態では当該制御領域の変風量装置８は絞られて風量も絞られている。）に、空調機１における給気の設定温度を変更（リセット）する制御を行う。つまり、冷房時において一部の制御領域の還気１３が冷え過ぎている場合、空調機１における給気の設定温度を上げる。空調空気３の給気温度が上がれば当該制御領域の還気１３の温度も上昇し冷えすぎが解消され、他の制御領域も前記温度調整回路の働きにより他の制御領域の変風量ユニット８のダンパ開度が開き勝手になり風量が増加され熱付加の処理に影響はない。こうした制御を行う回路（ロードリセット制御回路）を、前記温度調整回路による制御とは別に備え、制御領域Ａ１，Ａ２，Ａ３毎の風量調整とは別に必要に応じて給気の設定温度をリセットすることにより、変風量ユニット８において常に運転に必要な最小限の供給風量を確保することができる。
【００１６】
このように、空調機１の熱負荷処理能力（冷却冷媒の流量制御）や空調機内蔵ファン１ｂの処理風量、変風量ユニット８を通過する空調空気３の風量は、制御装置１７から入力される制御信号１ａ，８ｄにより制御されるようになっている。
【００１７】
尚、この種の変風量単一ダクト方式の空調システムに関連する先行技術文献としては、例えば、下記の特許文献１等がある。
【先行技術文献】
【特許文献】
【００１８】
【特許文献１】特許第５４２６３２２号公報
【発明の概要】
【発明が解決しようとする課題】
【００１９】
ところで、上述の如き変風量単一ダクト方式の空調システムにおいては、低負荷時は変風量ユニット８からの供給風量を絞るため、対象空間Ａ内の空調空気３は適温に調整されていても、気流感が得られないために対象空間Ａ内の人に不快感が生じる可能性がある。
【００２０】
また、冷房時にロードリセットが働いた場合には、空調機１において給気温度と、冷却対象の空気（還気１３、あるいは図示しない経路から取り込まれる外気）との差が小さくなるため、空調機１におけるコイル１ｄの出口空気温度がその空気露点温度よりはるかに高い温度となり、コイル１ｄでの除湿能力が低下してしまう問題がある。その結果、空調空気３が吹出口６から吹出した対象区域空間の温度は設定通りであっても湿度が高くなり、やはり不快感の原因となってしまうおそれがある。ロードリセットが働かないよう、低負荷の領域では対応する変風量ユニット８を全閉にして空調空気３の供給を停止することも可能ではあるが、そのようにすると気流感が無くなることによる不快感の発生や、対象区域Ａ内の換気ができなくなるといった問題が残る。
【００２１】
本発明は、斯かる実情に鑑み、低負荷時にも対象区域への供給風量を確保しながら、対象区域における空調を好適に実施し得る空調システムを提供しようとするものである。
【課題を解決するための手段】
【００２２】
本発明は、対象区域に隣接する天井裏の空間を還気チャンバとして設定し、対象区域に面する天井には、対象区域内の空気を還気として吸い込む吸込口を設けると共に、前記還気チャンバには、該還気チャンバ内の空気を空調機へ戻す還気ダクトを備える変風量単一ダクト方式の空調システムであって、空調機から送り出される空調空気を対象区域へ導く流路の途中に設けられ、下流側に流れる空調空気の量を調整する変風量装置と、前記流路における前記変風量装置の下流側の位置に設けられるファンと、前記流路における前記変風量装置の下流側且つ前記ファンの上流側の位置で前記流路における前記還気チャンバ内にあたる位置に設けられ、周囲の還気チャンバ内の還気を取り込む取込口とを備えたことを特徴とする空調システムにかかるものである。
【００２３】
本発明の空調システムにおいて、前記変風量装置から下流側への空調空気の供給風量は、前記変風量装置の下流側に備えられた前記ファンにおける風量の合計を超えないように設定されていることが好ましい。
【００２４】
本発明の空調システムは、前記流路の末端部に、対象区域に面する吹出部と、該吹出部の上流側に設けられた前記ファンと、該ファンにより周囲から空気を導入し、前記吹出部から対象区域へ送り出す空間を形成する筐体とを備えた吹出口ユニットを備えて構成することができる。
【００２５】
本発明の空調システムは、前記取込口を備えると共に、前記流路を構成するダクトを接続され、前記取込口から周囲の空気を取り込むと共に、前記ダクトから空調空気を供給される空間を前記ファンの上流側に形成する混気ボックスを備えて構成することができる。
【００２６】
本発明の空調システムにおいて、前記流路における前記ファンの上流側の位置に、前記取込口を備え、該取込口から周囲の空気を取り込む空間を形成する混気ボックスを設置することができる。
【００２７】
本発明の空調システムにおいて、前記混気ボックスは、前記吹出口ユニットを取り囲むように設置することができる。
【００２８】
本発明の空調システムでは、対象区域の冷房を行うことができる。
【発明の効果】
【００２９】
本発明の空調システムによれば、低負荷時にも対象区域への供給風量を確保しながら、対象区域における空調を好適に実施し得るという優れた効果を奏し得る。
【図面の簡単な説明】
【００３０】
【図１】本発明の実施による空調システムの一例を模式的に示す概略平面図である。
【図２】本発明の実施による空調システムの一例を模式的に示す概略正面図である。
【図３】本発明の実施例における天井および吹出口ユニット周辺の形態を示す分解斜視図である。
【図４】本発明の実施例における吹出口ユニットおよび混気ボックスの形態を示す側断面図である。
【図５】本発明の実施例における変風量装置の風量、ファンの風量、および取込口からの取込風量の関係の一例を示すグラフである。
【図６】本発明の実施による吹出口ユニットおよび混気ボックスの形態の別の一例を示す側断面図である。
【図７】本発明の実施による吹出口ユニットおよび混気ボックスの形態のさらに別の一例を示す側断面図である。
【図８】従来の空調システムにおける空調システムの一例を模式的に示す概略平面図である。
【図９】従来の空調システムの一例を模式的に示す概略正面図である。
【発明を実施するための形態】
【００３１】
以下、本発明の実施の形態を添付図面を参照して説明する。
【００３２】
図１〜図４は本発明の実施による空調システムの形態の一例を示しており、図中、図８、図９と同一の符号を付した部分は同一物を表している。尚、図１、図２は本実施例の空調システムの構成をあくまで模式的に表した図であって、各機器等の実際の配置や寸法を正確に反映してはおらず、また、図１と図２が必ずしも互いに正確に対応してはいない。
【００３３】
本実施例の基本的な構成は図８、図９に示す従来例と共通しており、図１、図２に示す如く、空調機１から送り出される空調空気３が給気ダクト２を通して対象区域Ａへ送り込まれた後、天井１０に備えた吸込口１１から還気１３として隣接する天井裏の空間（還気チャンバＣ）へ導かれ、還気ダクト１２から再度空調機１へ戻されるようになっている。ただし、本実施例の場合、給気ダクト２における変風量装置（変風量ユニット）８よりも下流側の位置にそれぞれファン１９を備えると共に、該ファン１９の上流側且つ変風量ユニット８の下流側の位置に、周囲の空気（ここでは、還気１３）を吸い込む取込口２０を備えた点が従来例とは異なっている。
【００３４】
ここに示した例では、給気ダクト２のうち、末端部（末端ダクト７の出口）にファン１９を備えた吹出口ユニット２１が配置され、さらに、吹出口ユニット２１を取り囲むように混気ボックス２２が配置され、該混気ボックス２２に取込口２０が設けられている。混気ボックス２２には末端ダクト７の下流側端部が接続され、末端ダクト７から供給される空調空気３は、混気ボックス２２の内部を通過して吹出口ユニット２１のファン１９から対象区域Ａに送り出される。このように、本実施例では、上流側から順に、給気ダクト２（メインダクト４、分岐ダクト５、末端ダクト７）および混気ボックス２２、吹出口ユニット２１が空調空気３の流路を構成しており、該流路のうち、下流側にあたる一部（分岐ダクト５の変風量ユニット８より下流側の部分および末端ダクト７、混気ボックス２２、吹出口ユニット２１）が、還気チャンバＣ内に位置している（尚、ここでは空調空気３の流路のうち一部が還気チャンバＣ内にある場合を例示したが、各機器の配置によっては、空調空気の流通する流路の全部が還気チャンバＣ内に位置する場合や、空調機１が天吊空調機で還気チャンバＣの天井内にある場合もあり得る）。そして、この流路を空調空気３が流通する途中、混気ボックス２２にて取込口２０を通じて周囲の空気（空調機１の空調機内蔵ファン１ｂの吸込力により陰圧になっている還気チャンバＣ内にあって、対象区域Ａのうち当該制御領域の吸込口１１から吸った還気１３からなる空気）が取り込まれ、後述するように空調空気３と還気１３とが混合されて対象区域Ａに供給されるようになっている。
【００３５】
吹出口ユニット２１、混気ボックス２２、およびこれらを備えた天井１０の構成について説明する。
【００３６】
天井１０は、例えば図３に示す如く、グリッド式のシステム天井として構成することができる。天井１０には、野縁である天井構造材１０ａを縦横に組んでグリッド１０ｂが形成されており、該グリッド１０ｂ毎に、パネル１０ｃやその他の天井設備機器を嵌め込むように設置できるようになっている。天井構造材１０ａは、例えばＴバー等の名称でシステム天井用の部材として販売されている建築材であり、吊具１０ｄにより上方から吊り下げられて天井下地を構成し、グリッド１０ｂに設置されたパネル１０ｃやその他の器具類ごと天井１０全体を支持するようになっている。尚、グリッド１０ｂにパネル１０ｃ以外の器具類を設置する場合、該器具類の重量が十分に小さければ該器具類を天井構造材１０ａごと吊具１０ｄにより支持すれば良いが、前記器具類の重量がある程度以上大きければ、該器具類を支持するため、該器具類を直接吊り下げる図示しない吊具等を別途備える必要がある。
【００３７】
吹出口ユニット２１は、吹出部２１ａの上流側（ここでは、上方）にファン１９を備えており、ファン１９の動作により、周囲の空気（本実施例の場合、混気ボックス２２内の空調空気３および還気１３。図２および図４参照）を吹出部２１ａから対象区域Ａに送り出すようになっている。
【００３８】
吹出口ユニット２１は、各々が一個のグリッド１０ｂ内に設置可能に構成されており、吹出部２１ａの上方にファン１９を備えた吹出口ユニット２１の全体を天井構造材１０ａに支持できるようになっている。具体的には、図３、図４に示す如く、箱型の筐体２１ｂの上下に開口を設け、上部の開口にファン１９を設置すると共に、対象区域Ａに面する下部の開口には気流の整流機能を有する吹出部２１ａを備えている。吹出部２１ａは、例えばアネモスタット（登録商標）やディフューザー等と呼称される複数枚の羽根を備えた配風用の部材で構成された制気口であり、後述するように、空気（空調空気３および還気１３）をファン１９により筐体２１ｂの内部の空間に導入し、吹出部２１ａから下方の対象区域Ａへ送り出すようになっている。
【００３９】
本実施例では、吹出口ユニット２１をその他の天井設備機器である一対の照明器具１０ｅと共にグリッド１０ｂ内に設置するようにしている。照明器具１０ｅは、長辺の寸法がグリッド１０ｂの一辺に合致しており、一対の照明器具１０ｅが、一個のグリッド１０ｂの向かい合う二辺にそれぞれ沿うように配置される。各照明器具１０ｅは、吹出口ユニット２１に接する辺以外の三辺を、グリッド１０ｂを構成する天井構造材１０ａに支持される。
【００４０】
一方、吹出口ユニット２１は、下面の短辺の寸法がグリッド１０ｂの一辺と、照明器具１０ｅの短辺の２倍との差に合致するように設計されており、一個のグリッド１０ｂ内に支持された一対の照明器具１０ｅの間に吹出口ユニット２１を配置することができる。ここで、照明器具１０ｅの吹出口ユニット２１に接する辺には、下面に吹出口ユニット２１側へ張り出す板状の張出部１０ｆを備えている。張出部１０ｆは、吹出口ユニット２１の長辺に沿い、該長辺に直交する２本の天井構造材１０ａ同士の間に張り渡すように配置される。２台の照明器具１０ｅに挟まれた吹出口ユニット２１は、下面の２つの長辺を両側の照明器具１０ｅの張出部１０ｆに載置される形で、グリッド１０ｂ内に支持される。
【００４１】
吹出口ユニット２１の寸法は、要求される吹出し風量に応じて設計される。ここに示した例では、吹出口ユニット２１の下面は、長辺の寸法がグリッド１０ｂの一辺より小さくなっており、このため、グリッド１０ｂに照明器具１０ｅと吹出口ユニット２１を設置すると吹出口ユニット２１の両脇に隙間が生じる。このような隙間は、例えば図３に示す如き設備パネル１０ｇを嵌め込んで埋めることができる。尚、吹出口ユニット２１をグリッド１０ｂに設置するにあたり、採用し得る構成はここで説明した例に限定されない。例えば、吹出口ユニット２１の割り当て吹出し風量によっては、吹出口ユニット２１の下面を長辺の寸法がグリッド１０ｂの一辺と一致する設計とする場合があるが、その場合、設備パネル１０ｇは省略することができる。また、照明器具１０ｅを介さず、吹出口ユニット２１を直接天井構造材１０ａに支持するようにしても良い。また、照明器具１０ｅの代わりに別の天井設備機器や、設備パネルを設置しても良い。吹出口ユニット２１をグリッド１０ｂに好適に支持することができれば、吹出口ユニット２１やその周辺の構成は適宜変更し得る。
【００４２】
筐体２１ｂは、例えばグラスウールやロックウールといった軽量の部材により構成することができる。このようにすると、吹出口ユニット２１に関し別途吊具等を設けなくとも、天井構造材１０ａを支える吊具１０ｄだけで十分に吹出口ユニット２１を天井構造材１０ａごと支持することができる。
【００４３】
混気ボックス２２は、例えば図３、図４に示す如く、吹出口ユニット２１の全体を上方から覆うように取り囲む形で設置される。混気ボックス２２は下面を開口として構成された直方体状の部材であり、４つの側面が吹出口ユニット２１の筐体２１ｂを取り囲むことができるようになっている。ここに示した例では、混気ボックス２２の４つの側面のうち、対向する一対の側面２２ａ，２２ａがそれぞれ筐体２１ｂと両側の照明器具１０ｅとの間に配置され、別の一対の側面２２ｂ，２２ｂがそれぞれ天井構造材１０ａ上に配置されるよう、寸法を設定されている。各側面２２ａ，２２ｂの高さは吹出口ユニット２１の高さよりも高く設定され、図４に示す如く、混気ボックス２２を吹出口ユニット２１の全体を覆うように設置した状態で、混気ボックス２２の側面２２ａ，２２ａ（および側面２２ｂ，２２ｂ）、および上面２２ｃにより、吹出口ユニット２１の上部のファン１９の上流側に空間が形成されるようになっている。
【００４４】
側面２２ａ，２２ａには、それぞれスリット状の取込口２０が水平方向に沿って開口している。取込口２０は、図４に示す如く混気ボックス２２を吹出口ユニット２１に対して配置した状態で、吹出口ユニット２１の側面の上端よりも高い位置に設けられる。後述する還気１３の取り込みがスムーズに行われるようにするためである（ここに示した例では側面２２ａ，２２ａが筐体２１ｂの側面と近接しているので、取込口２０を筐体２１ｂの側面の上端より低い位置に設けると、還気１３の取り込みにあたって抵抗が大きくなる）。また、取込口２０には、内側へ向かって上り勾配をなすように整流板２０ａが設けられている。
【００４５】
尚、取込口２０は、例えば図３に破線で示す如く側面２２ｂ，２２ｂに設けても良い。ここに示した例では、側面２２ｂ，２２ｂは筐体２１ｂの側面と近接してはいないため、側面２２ｂ，２２ｂに取込口２０を設ける場合、図３に破線で示す如く、側面２２ｂ，２２ｂの下方に形成された凹部として取込口２０を形成しても、還気１３の取り込みに支障はない。あるいは、取込口２０は側面２２ａ，２２ａと側面２２ｂ，２２ｂの両方に設けても良いし、その他、還気１３の取り込みをスムーズに行い得る限り、取込口２０はどのような構成としても良い。尚、その際、空気抵抗等を勘案して後述する空調空気３との混和が適当な割合で行われるよう、取込口２０の配置や形状、寸法等は適宜調整すべきである。
【００４６】
混気ボックス２２の上面２２ｃには接続口２２ｄが開口し、ここに末端ダクト７の下流側端が接続され、混気ボックス２２の内部へ空調空気３が供給される。尚、混気ボックス２２における接続口２１ｄの位置はここに示した例に限らず、混気ボックス２２と末端ダクト７の位置関係等に応じて変更することができ、例えば側面２２ａや側面２２ｂに接続口を設けても良い。
【００４７】
末端ダクト７を接続した混気ボックス２２を、図４に示すように吹出口ユニット２１に対して適当な位置に支持するにあたっては、例えば末端ダクト７や混気ボックス２２のいずれか、あるいは両方に図示しない吊具等を取り付けて上方から吊り下げることができる。あるいは、末端ダクト７を接続した混気ボックス２２が十分に軽量であり、吹出口ユニット２１等をも含めて天井構造材１０ａ上に載置するだけで支持できれば、混気ボックス２２や末端ダクト７に対する吊具等の設置は省略しても良い。
【００４８】
以上の如き構成の吹出口ユニット２１を用いることで、空調空気３の流路の末端部に、簡便な構成でファン１９を配置することができる。さらに、吹出口ユニット２１を取り囲むように混気ボックス２２を備えれば、空調空気３の流路の途中に取込口２０を設けるにあたって好適であり、ファン１９に対して簡便且つコンパクトな形で混気ボックス２２を設置することができる。しかも、混気ボックス２２の形成する空間をファン１９に隣接するように設置することで、後述する取込口２０からの還気１３の取り込みを極力少ない抵抗で行うことができるという点でも好適である。
【００４９】
図１に示す如く、対象区域Ａに隣接する天井裏の空間は還気チャンバＣとして設定されている。天井１０の吹出口ユニット２１から供給された空調空気３は、天井１０に開口した吸込口１１を通って還気１３として還気チャンバＣに吸い込まれ、還気口９から還気ダクト１２を通って空調機１へ戻される。
【００５０】
空調機１の受け持つ対象区域Ａには、吹出口として計１８の吹出口ユニット２１が設置されている。上記従来例（図８、図９参照）における吹出口６の配置分担と同様、これらの吹出口ユニット２１のうち、図中左側の６個における空調空気３の供給風量を分岐ダクト５ａに設置された変風量ユニット８ａが、中央の６個における供給風量を分岐ダクト５ｂに設置された変風量ユニット８ｂが、右側の６個における供給風量を分岐ダクト５ｃに設置された変風量ユニット８ｃが、それぞれ制御するようになっている。すなわち、対象区域Ａのうち、左側の６個の吹出口ユニット２１に対応する領域が分岐ダクト５ａの受け持ちゾーンである制御領域Ａ１、中央の６個の吹出口ユニット２１に対応する領域が分岐ダクト５ｂの受け持ちゾーンである制御領域Ａ２、右側の６個の吹出口ユニット２１に対応する領域が分岐ダクト５ｃの受け持ちゾーンである制御領域Ａ３である。
【００５１】
制御領域Ａ１〜Ａ３に対応する適宜位置（ここでは、平面視で各制御領域Ａ１，Ａ２，Ａ３の中央部に位置する吸込口１１）にはそれぞれ域内温度センサ１４，１５，１６が備えられ、それぞれの位置で還気１３の温度を計測し、温度信号１４ａ，１５ａ，１６ａとして制御装置１７に入力するようになっている。
【００５２】
制御装置１７には、温度信号１４ａ，１５ａ，１６ａと、各制御領域で設定されているＡ１、Ａ２、Ａ３領域の設定温度値との偏差に基づいて設定風量比率を演算し、該設定風量比率を各変風量ユニット８ａ，８ｂ，８ｃに対しての制御信号８ｄとして入力し、分岐ダクト５ａ，５ｂ，５ｃ毎に風量を制御することで制御領域Ａ１〜Ａ３それぞれの温度を調整する。
【００５３】
制御装置１７は、このように各変風量ユニット８ａ，８ｂ，８ｃの風量を制御する回路（温度調整回路）を各変風量ユニット８ａ，８ｂ，８ｃ毎に設けているほか、給気温度リセット制御を行う回路（ロードリセット制御回路）を備えている。該ロードリセット制御回路は、各変風量ユニット８ａ，８ｂ，８ｃのダンパ開度等の情報を処理し、ダンパ開度が最小となっている変風量ユニットがある場合には、給気温度を最適値にするように制御を行っている。このため、還気１３の温度が設定温度に対して過剰に冷却（冷房時）あるいは加温（暖房時）されている場合は、変風量ユニットのダンパ開度が最小となるため給気温度リセット制御を行い、空調機１における給気の設定温度を最適値にする制御を行う。つまり、冷房時において還気１３が冷え過ぎている場合は給気の設定温度を上げて、還気１３が設定温度に近づくようにすることができ、暖房時において還気１３が熱過ぎる場合は給気の設定温度を下げて、還気１３が設定温度に近づくようにすることができる。
【００５４】
また、変風量ユニット８の下流に備えられたファン１９には、該ファン１９のオンオフや回転数等を制御する制御信号１９ａが制御装置１７から入力されるようになっている。
【００５５】
尚、図１では制御装置１７として１つのブロックを図示しているが、実際の空調システムにおいては、制御装置１７を例えば空調機１の制御を行う制御装置と、変風量ユニット８の制御を行う制御装置と、ファン１９の制御を行う制御装置とに分けて備えても良く、制御装置１７の配置や構成等は空調システムの仕様に合わせて適宜設計して良い。
【００５６】
以上の如き構成による本実施例の空調システムでは、対象区域Ａ内の制御領域Ａ１，Ａ２，Ａ３領域のいずれかの室内熱負荷が低い場合であっても、対象区域Ａ内の熱負荷の小さな制御領域に対する供給風量を十分に確保し、また、空調機１からの空調空気３の給気温度を極力変更しないような運転を行うことができる。以下、冷房を行う場合を例に説明する。
【００５７】
空調機１から送り出される空調空気３は、給気ダクト２（メインダクト４、分岐ダクト５、末端ダクト７）を通り、途中の変風量ユニット８で各制御領域Ａ１，Ａ２，Ａ３毎に風量を調整されたうえで吹出口ユニット２１からファン１９を通じて供給される。その際、上述の如く、ファン１９の上流側にあたる混気ボックス２２において取込口２０から取り込まれた還気１３が空調空気３と混合し、空調空気３と還気１３とが共に吹出口ユニット２１から対象区域Ａへ供給される。
【００５８】
ここで、一台の変風量ユニット８と、その受け持ちゾーンにあたる下流側の吹出口ユニット２１に設けられたファン１９との間では、変風量ユニット８から下流側への空調空気３の供給風量が、その下流のファン１９における風量の合計を超えないように運転を行う（尚、ここでは一台の変風量ユニット８の下流側に各６台のファン１９を備えた例を図示しているが、場合によっては、ある一台の変風量ユニットの下流側にファンが一台のみ配置されることもあり得る。その場合、前記変風量ユニットの下流側におけるファンの風量の合計とは、前記ファンの一台分の風量である）。このようにすると、各混気ボックス２２において、ファン１９から吹き出される空気の量が、末端ダクト７から供給される空調空気３の量以上となり、両者の差の分だけ、取込口２０から還気１３が取り込まれる（図４参照）。つまり、一個の混気ボックス２２ないし吹出口ユニット２１において、末端ダクト７から供給される風量をＱ１、ファン１９から送り出される風量をＱ２、取込口２０から取り込まれる還気１３の量をＱ３とすると、Ｑ３＝Ｑ２−Ｑ１である。尚、このような運転状態を確実に保つために、変風量ユニット８の定格風量は、その下流に設置されるファン１９の定格風量の合計を上回らないように設計すると良い。
【００５９】
各変風量ユニット８では、上述の如くそれぞれの受け持ちゾーン（制御領域Ａ１，Ａ２，Ａ３）の熱負荷に応じて空調空気３の風量の調整を行う。つまり、熱負荷が高い場合は、変風量ユニット８から下流へ供給される空調空気３の量を多くし、熱負荷が低い場合は少なくする。一方、吹出口ユニット２１のファン１９は、例えば一定の風量（例えば、一台あたり２００［ｍ３／ｈ］の吹出風量）で動作させる。
【００６０】
ファン１９で定速運転を行うと、対象区域Ａ内の負荷の大小にかかわらず、吹出口ユニット２１から対象区域Ａに供給される風量（Ｑ２）は概ね一定である。ただし、対象区域Ａへの供給風量Ｑ２が仮に同じであっても、そこに占める空調空気３の風量Ｑ１、および還気１３の風量Ｑ３は変動し、負荷が低い場合には風量Ｑ１が減って風量Ｑ３が増え、負荷が高い場合には風量Ｑ１が増えて風量Ｑ３が減ることになる。
【００６１】
このようにすると、対象区域Ａ内の負荷が低い場合、その低負荷に合わせて変風量ユニット８における空調空気３の供給量を少なくしても、その分だけ還気１３を補った十分な風量の空気（空調空気３と還気１３の混合空気）が吹出口ユニット２１から送り出される（ただし、吹出口ユニット２１における吹出温度は、還気１３が混ざる分だけ空調空気３の温度よりも高くなる）。図８、図９に示す如き従来の変風量単一ダクト方式の空調システムでは、吹出温度は一定としながら吹出風量を調整することで負荷の変動に対応していたが、本実施例では、空調空気３の供給風量は変動させつつ還気１３を補って吹出風量は一定とし、吹出温度を調整するのである。対象区域Ａ内の人にとっては、負荷が低く、空調空気３の供給量が少ない条件下であっても十分な気流感が得られ、快適である。従来例の空調システムでは、低負荷の場合は空調空気３の吹出風量の減少に伴い、対象区域Ａ内に空気が滞留し、気流感がなくなることで不快感が生じる可能性があったが、風量の変更によることなく対象区域Ａ内の温度を調整する本実施例の如き空調システムによれば、このような問題を生じなくすることができる。また、風量は十分であっても、熱負荷の低いゾーンでは吹出温度が室温に近くなるので、当該ゾーン内の空気が過剰に冷やされるようなことはなく、各ゾーン（制御領域Ａ１〜Ａ３）における空調は良好に保たれる。
【００６２】
尚、ファン１９は常に定速運転を保つ必要はない。変風量ユニット８の運転自体を停止している場合や、対象区域Ａの制御領域Ａ１〜Ａ３のうち、特に熱負荷の低い制御領域で変風量ユニット８のダンパを全閉とし、空調空気３の供給を停止するような運転を行う場合には、ファン１９の動作をオフにする制御を行っても良い。
【００６３】
また、熱負荷の低下に従って吹出風量を減少させる従来例では、上述の如く、当該制御領域の必要最低還気回数など換気等を目的として空調機１における給気温度をリセットする制御（ロードリセット）が行われる場合があるが、本実施例では、このロードリセット制御の実行頻度を大きく下げることができる。ロードリセットは、冷房の場合、例えば対象区域Ａに対する空調空気３の供給風量が所定以下であり、且つ各変風量ユニット８a、８b、８cの何れかのダンパ開度が最小であることを条件に実行され、空調機１における給気温度がリセット（再設定）される。従来の空調システム（図８、図９参照）では、上述の通り、冷房時にロードリセットが働くと、給気温度が高く設定されて空調機１における除湿能力が下がり、空調空気３の湿度が上がる結果、対象区域Ａ内の人に不快感を生じてしまう場合があった。
【００６４】
ところが、本実施例の空調システムの場合、熱負荷によらず一定の速度でファン１９を運転させることで、低負荷であってもファン１９が動作して対象区域Ａに空気が送り出されるようになっている。ファン１９がある程度以上の風量で動作していれば、換気等のためにロードリセットを行う必要はないし、また、ファン１９による供給風量の低下が実行の条件に設定されていれば、ファン１９による空気の供給がなされている限りロードリセットは実行されない。すなわち、空調機１における給気温度の変更が必要とされ、また実行する機会が、従来例と比較して少ない。したがって、空調機１においては給気温度の設定値が低く保たれ、空調機１内の冷水コイルの列数が有効に利用されて設計除湿性能が発揮され除湿能力が低下しないので、熱負荷が低い条件であっても好適に除湿された空調空気３を供給することができる。
【００６５】
無論、熱負荷が著しく低く、還気１３の温度が空調空気３に近いような場合などには、変風量ユニット８からの供給風量がゼロになると共に下流のファン１９の動作も停止し、ロードリセットが実行される可能性はあるが、そのような条件が生じることは稀であり、ロードリセットの実行頻度は著しく低く抑えられる。
【００６６】
尚、上ではファン１９を定速にて運転する場合を説明したが、変風量ユニット８からの空調空気３の供給量の変動に応じてファン１９の回転数を変動させるような運転を行っても良い。図５のグラフは、ある吹出口ユニット２１および混気ボックス２２において、ファン１９を一定の回転数で運転した場合における還気１３の取り込み量（Ｑ３）と、変風量ユニット８からの空調空気３の供給風量（Ｑ１）と、ファン１９からの供給風量（Ｑ２）の関係の一例を示しており、横軸にファン１９からの供給風量Ｑ２に対する還気１３の取り込み量Ｑ３の割合［％］、縦軸にファン１９からの供給風量Ｑ２［ＣＭＨ］、および供給風量Ｑ２に対する空調空気３の供給風量Ｑ１の割合［％］を取っている。変風量ユニット８からの供給風量Ｑ１（一点鎖線で示す）の減少に従い、還気１３の割合（横軸）は増加するが、このとき、取込口２０の形状や寸法は不変であるので、還気１３の通過量が増加すれば、それに伴い還気１３が取込口２０を通過するにあたっての摩擦等の抵抗が大きくなる。結果として、ファン１９を一定の回転数にて動作させる場合、図５中に実線にて示す如く、変風量ユニット８からの供給風量Ｑ１が減少すると、ファン１９からの供給風量Ｑ２は少しずつ減ることが考えられる。そこで、ファン１９から対象区域Ａへの供給風量Ｑ２を厳密に一定にしたい場合には、変風量ユニット８からの供給風量Ｑ１の減少に応じて、ファン１９の回転数を上げるような制御を行っても良い。
【００６７】
尚、温度の異なる空気を混合し、適温の空調空気を対象区域へ送り出す空調システムとしては、ペアダクト方式の空調システムが従来、知られているところである。しかしながら、本発明の空調システムの場合、それぞれ温度を調整した２種類の空調空気を混合するのではなく、空調空気３に対し、流路の周囲（本実施例の場合、吹出口ユニット２１の上流側に隣接して設けた混気ボックス２２の周囲）から空気（還気１３）を末端ファンの静圧を用いて取り込んで混合するという点で異なっており、空調空気の送給に要するダクトを大幅に少なくできる点で優れている。
【００６８】
各変風量ユニット８や各ファン１９に対し、制御装置１７から制御信号８ｄ，１９ａを入力するにあたっては、通信方式として例えばModbusやTCPといった汎用的な方式を採用することができる。よって、本実施例の如き空調システムは、例えば既存の変風量単一ダクト方式の空調システムを改修する形でも容易に実施することができる。すなわち、例えば図８、図９に示す従来例の空調システムに対しては、吹出口６の代わりにファン１９を備えた吹出口ユニット２１を設置すると共に混気ボックス２２を設置し、各ファン１９を制御装置１７からの制御信号１９ａにより制御するように設定するのである。上述の如く、ファン１９のオンオフや回転速度等は上流側の変風量ユニット８の動作と連動するが、各変風量ユニット８と、その下流側のファン１９とは、制御装置１７側の設定によって紐付けできる。
【００６９】
また、変風量ユニット８とファン１９との紐付けの設定は、制御装置１７側で自由に変更できるので、例えば対象区域Ａ側で機器や設備、人員配置等のレイアウトに変更があり、それに合わせて吹出口ユニット２１の配置を変更する場合等にも柔軟に対応することができる。例えば、それまでは変風量ユニット８ｂの下流に配置され、該変風量ユニット８ｂと連動していたファン１９を、レイアウトの変更に伴って変風量ユニット８ａの下流に繋ぎ変えた場合、変風量ユニット８ｂではなく変風量ユニット８ａと連動するように設定を変更することも容易である。各ファン１９のアドレス番号を各制御領域Ａ１，Ａ２，Ａ３毎にグループ分けして管理し、ファン１９の配置に変更があった場合には、該当のファン１９のアドレスを別のグループに振り替えれば良いのである。
【００７０】
以上のように、上記本実施例の対象区域Ａに隣接する天井裏の空間を還気チャンバＣとして設定し、対象区域Ａに面する天井１０には、対象区域Ａ内の空気を還気１３として吸い込む吸込口１１を設けると共に、前記還気チャンバＣには、該還気チャンバＣ内の空気を前記空調機１へ戻す還気ダクト９を備える変風量単一ダクト方式の空調システムであって、空調機１から送り出される空調空気３を対象区域Ａへ導く流路（給気ダクト２、混気ボックス２２、吹出口ユニット２１）の途中に設けられ、下流側に流れる空調空気３の量を調整する変風量装置（変風量ユニット）８と、前記流路における変風量装置８の下流側の位置に設けられるファン１９と、前記流路における変風量装置８の下流側且つファン１９の上流側の位置で前記流路における前記還気チャンバＣ内にあたる位置に設けられ、周囲の還気チャンバＣ内の空気（還気）１３を取り込む取込口２０とを備えている。このようにすると、ファン１９から対象区域Ａに対し、空調空気３と、前記流路の周囲の空気（還気）１３を混合して供給することにより、風量の変更によることなく対象区域Ａ内の温度を調整することができる。よって、対象区域Ａが低負荷の状況であっても対象区域Ａに対する供給風量を十分に確保することができる。また、空調機１における給気温度の変更を必要とする機会が少なくなるので、冷房を行う場合には、対象区域Ａが低負荷の状況であっても空調機１における除湿能力を保つことができる。
【００７１】
尚、空調システムの従来例には、空調機から吹出口までの流路上に変風量ユニットあるいはダンパにあたる構成がなく、室内から誘引した空気と空調空気の混合比率を変更するようなことができない。このため、従来例において、本発明と同様に制御領域毎に空調空気の温度を変えようとすれば、制御領域毎に空調機を備えなくてはならない。
【００７２】
本実施例においては、変風量装置８から下流側への空調空気３の供給風量は、変風量装置８の下流側に備えられたファン１９における風量の合計を超えないように設定されている。このようにすると、各混気ボックス２２において、ファン１９から抜き出される空気の量が、末端ダクト７から供給される空調空気３の量以上となるので、取込口２０から周囲の空気（還気）１３を必要に応じて確実に取り込むことができる。
【００７３】
本実施例は、前記流路の末端部に、対象区域Ａに面する吹出部２１ａと、該吹出部２１ａの上流側に設けられたファン１９と、該ファン１９により周囲から空気（空調空気３、還気１３）を導入し、吹出部２１ａから対象区域Ａへ送り出す空間を形成する筐体２１ｂとを備えた吹出口ユニット２１を備えて構成されているので、簡便な構成により前記流路にファン１９を設けることができる。
【００７４】
本実施例は、取込口２０を備えると共に、前記流路を構成するダクト（末端ダクト）７を接続され、取込口２０から周囲の空気（還気）１３を取り込むと共に、ダクト７から空調空気３を供給される空間をファン１９の上流側に形成する混気ボックス２２を備えて構成されているので、簡便な構成により吹出口ユニット２１の上流側に混気ボックス２２を設けることができる。
【００７５】
本実施例において、前記流路におけるファン１９の上流側の位置に、取込口２０を備え、該取込口２０から周囲の空気（還気）１３を取り込む空間を形成する混気ボックス２２を備えて構成されているので、簡便な構成により前記流路に混気ボックス２２を設けることができ、取込口２０からの空気（還気）１３の取り込みを極力少ない抵抗で行うことができる。
【００７６】
本実施例において、混気ボックス２２は、吹出口ユニット２１を取り囲むように設置されているので、ファン１９および混気ボックス２２をいっそうコンパクト且つ簡便に前記流路に設置することができる。
【００７７】
本発明の空調システムでは、対象区域Ａの冷房を行うことができる。
【００７８】
したがって、上記本実施例によれば、低負荷時にも対象区域への供給風量を確保しながら、対象区域における空調を好適に実施し得る。
【００７９】
図６は吹出口ユニットや混気ボックスの形態の別の例を示している。ここに示した例では、図３、図４における吹出口ユニット２１に相当する機能と、混気ボックス２２に相当する機能の両方を一体に持たせた吹出口ユニット兼混気ボックス２３を吹出口に備えている。
【００８０】
吹出口ユニット兼混気ボックス２３は、筐体２３ａの下部に吹出部２３ｂを備えた点は図３、図４に示した吹出口ユニット２１と同様であるが、筐体２３ａ内の空間の上下方向中間部にファン１９を備えており、該ファン１９の上側の空間が混気ボックスとして機能するようになっている。
【００８１】
すなわち、筐体２３ａの側面２３ｃにおけるファン１９の上側の空間に面した位置に取込口２０が設けられており、該取込口２０から周囲の還気１３が取り込まれるようになっている。筐体２３ａの上面２３ｄには接続口２３ｅが開口し、ここへ末端ダクト７の下流側端が接続される。そして、末端ダクト７を通じて筐体２３ａ内のファン１９の上側の空間へ空調空気３が送り込まれると共に、取込口２０から還気１３が取り込まれ、空調空気３と還気１３が混合され、ファン１９を通じて下部の吹出部２３ｂから対象区域Ａ（図１、図２参照）へ送り出される。
【００８２】
また、図７は混気ボックスおよび吹出口ユニットの形態のさらに別の一例を示している。ここに示した例の場合、天井１０がシステム天井ではない在来天井として構成されている。在来天井である天井１０の吹出口には、図３、図４に示したものと同様の吹出口ユニット２１が設置され、該吹出口ユニット２１の周囲を上方から取り囲むように、混気ボックス２４が設けられている。混気ボックス２４の側面２４ａには取込口２０が開口しており、上面２４ｂの接続口２４ｃに接続された末端ダクト７から供給される空調空気３は、取込口２０から取り込まれた還気１３と混気ボックス２４内で混合され、吹出口ユニット２１に備えられたファン１９から対象区域Ａ（図１、図２参照）へ送り出される。本例の場合、混気ボックス２４の上面２４ｂには吊具２４ｄが取り付けられ、上方から混気ボックス２４が吊り下げて支持されるようになっている。
【００８３】
あるいは、図示は省略するが、混気ボックスを吹出口ユニットあるいはファンに隣接させず、ファンより上流側の流路の途中に配置することも、原理的には可能である（ただし、図１〜図６に示した各例のように、混気ボックスにより形成される空間をファンと隣接させる方が、機器の構成面やスペース面で簡単である）。
【００８４】
このように、吹出口ユニットおよび混気ボックスの構成や形状、寸法等は、本発明の実施にあたり、天井の仕様やその他の条件によって適当な設計を選択し得る。空調空気の流路における変風量ユニットの下流側にファンを配置し、且つ該ファンの上流側且つ変風量ユニットの下流側の位置に取込口を設けて周囲の空気を取り込み、空調空気と混合してファンから吹出口を通して供給するという構成および作用が本発明の根幹であり、この点を好適に満たす限りにおいて、吹出口ユニットや混気ボックスは適宜設計することができる。
【００８５】
その他、本発明の空調システムは、上述の実施例にのみ限定されるものではない。例えば冷房時だけでなく暖房時にも同様の作用効果にて空調を行い得ること等、本発明の要旨を逸脱しない範囲内において種々変更を加え得ることは勿論である。
【符号の説明】
【００８６】
１    空調機
２    流路（給気ダクト）
３    空気（空調空気）
７    ダクト（末端ダクト、流路）
８    変風量装置（変風量ユニット）
８ａ  変風量装置（変風量ユニット）
８ｂ  変風量装置（変風量ユニット）
８ｃ  変風量装置（変風量ユニット）
１０    天井
１１    吸込口
１２    還気ダクト
１３    空気（還気）
１９    ファン
２０    取込口
２１    吹出口ユニット（流路）
２１ａ  吹出部
２１ｂ  筐体
２２    混気ボックス（流路）
２３    吹出口ユニット兼混気ボックス（流路）
２３ａ  筐体
２３ｂ  吹出部
２４    混気ボックス（流路）
Ａ    対象区域
Ｃ    還気チャンバ
【図１】
2020008211.tif 000003
【図２】
2020008211.tif 000004
【図３】
2020008211.tif 000005
【図４】
2020008211.tif 000006
【図５】
2020008211.tif 000007
【図６】
2020008211.tif 000008
【図７】
2020008211.tif 000009
【図８】
2020008211.tif 000010
【図９】
2020008211.tif 000011